(57)【要約】    【課題】  保水性植物生育体を用いて垂直面又は比較的急傾斜の面において、最小限の量の灌水又は給水により、対象植物を生育することが可能な植物栽培用具及び植物栽培法を提供する。    【解決手段】  前棚部Ｆの背板部Ｆ２の上下方向一定間隔おきの５つの上下方向位置において背板部Ｆ２から前方に向かって水平板状の区画部Ｆ３を突設する。各区画部Ｆ３の前端部に上方突起部Ｆ４を設ける。前棚外枠部Ｆ１の底板部に、前端部に上方突起部Ｆ４を有する受止部Ｆ５を設ける。区画部Ｆ３及び受止部Ｆ５は、それぞれ保水性植物生育体Ａの下部を上向きに支持し、各上方突起部Ｆ４は保水性植物生育体Ａの前方離脱を防止する。【選択図】      図５
2011244709.tif 000002
【特許請求の範囲】
【請求項１】
所定の面である植物生育面において対象植物を生育する保水性植物生育体と、その保水性植物生育体を所定姿勢に支持するための支持体を備えてなる植物栽培用具であって、
前記支持体により、前記保水性植物生育体は、その保水性植物生育体の下端から高さの６０％までを少なくとも含む部分が水系液体を保有し得ると共に、前記保水性植物生育体のうち植物の生育が可能な所定の植物生育面の水平方向に対する傾斜角が４５度以上９０度以下となり、その植物生育面の下端から高さの６０％までを少なくとも含む部分が前記保水性植物生育体における水系液体を保有し得る部分により構成される所定姿勢に支持されることを特徴とする植物栽培用具。
【請求項２】
複数の上記保水性植物生育体が、互いに分離して上下方向に並ぶ状態で上記支持体により支持され、それらの上下方向に並ぶ保水性植物生育体の各植物生育面が上下方向に並ぶ請求項１記載の植物栽培用具。
【請求項３】
植物生育面同士の上下間隔が、植物生育面の上下方向寸法の１／２以下である請求項１又は２記載の植物栽培用具。
【請求項４】
上側の保水性植物生育体と下側の保水性植物生育体の間が区画部によって区画されている請求項１乃至３の何れか１項に記載の植物栽培用具。
【請求項５】
上記区画部が、上側の保水性植物生育体の下部を上向きに支持するものである請求項４記載の植物栽培用具。
【請求項６】
上記区画部が、上下方向に水系液体が通過し得るものである請求項４又は５記載の植物栽培用具。
【請求項７】
区画部が上下方向に水系液体が通過し得ないものであり、水系液体が区画部の上側から区画部の横方向外方の外方流出部へ流出し、その外方流出部から、外方流出部の横方向外方の前記区画部の下側へ流入する経路を備える請求項４記載の植物栽培用具。
【請求項８】
上記保水性植物生育体の植物生育面からみてその保水性植物生育体の後方に外方流出部を有し、
外方流出部の下部に、上下方向に水系液体が通過し得ない第２区画部を有し、
第２区画部の上側の外方流出部に、保水体を有する請求項７記載の植物栽培用具。
【請求項９】
上下隣り合う植物生育面の前後方向位置が一致する請求項２乃至８の何れか１項に記載の植物栽培用具。
【請求項１０】
保水性植物生育体の奥行きが高さ以下である請求項１乃至９の何れか１項に記載の植物栽培用具。
【請求項１１】
保水性植物生育体が、繊維の不織集合体である請求項１乃至１０の何れか１項に記載の植物栽培用具。
【請求項１２】
植物生育面からみて保水性植物生育体の背面が、全体又は部分に通気孔を有する背面材により支持されている請求項１乃至１１の何れか１項に記載の植物栽培用具。
【請求項１３】
保水性植物生育体を、その保水性植物生育体の下端から高さの６０％までを少なくとも含む部分が水系液体を保有し得ると共に、前記保水性植物生育体のうち植物の生育が可能な所定の植物生育面の水平方向に対する傾斜角が４５度以上９０度以下となり、その植物生育面の下端から高さの６０％までを少なくとも含む部分が前記保水性植物生育体における水系液体を保有し得る部分により構成される所定姿勢に支持し、
前記植物生育面において対象植物を生育することを特徴とする植物栽培法。
【請求項１４】
複数の上記保水性植物生育体を、互いに分離して上下方向に並ぶ状態で支持することにより、それらの上下方向に並ぶ保水性植物生育体の各植物生育面が上下方向に並ぶ請求項１３記載の植物栽培法。
【請求項１５】
植物生育面同士の上下間隔が、植物生育面の上下方向寸法の１／２以下である請求項１４記載の植物栽培法。
【請求項１６】
上下隣り合う植物生育面の前後方向位置が一致する請求項１４又は１５記載の植物栽培法。
【請求項１７】
保水性植物生育体の奥行きが高さ以下である請求項１３乃至１６の何れか１項に記載の植物栽培法。
【発明の詳細な説明】
【技術分野】
【０００１】
本発明は、保水性植物生育体を用いて垂直面又は比較的急傾斜の面において対象植物の生育を行うことができる植物栽培用具及び植物栽培法に関する。
【背景技術】
【０００２】
建築物の屋上等を緑化するために、繊維が集合してなるマット体のような保水性植物生育マットが従来より用いられている。この種の保水性植物生育マットによる緑化は、建築物の屋上等に保水性植物生育マットを敷設し、給水、施肥等を行いつつ、その保水性植物生育マットにおいて植物を栽培することにより行われる。保水性植物生育マットを対象面に敷設して行うこのような緑化方法は、水平面や傾斜が緩やかな面に沿って平面的に植物栽培を行って緑化するのに適する。
【０００３】
例えば特開平１０−９８９１３号公報には、ビルの屋上など、土の上でなくても、その上に敷き詰めて水をやるだけで種から芽が出るようになるために、場所を選ばずに非常に簡単に植物を育成できる園芸用マットが開示されている。その園芸用マットは、植物性の繊維の不織布等からなり、発芽可能に種子を内装した保水性の育苗マットと、育苗マットを受けてそれに毛細管現象により水を供給する保水マットとからなるものである。
【０００４】
ところが、このような緑化方法は、立体的な構造体や垂直面若しくは比較的急傾斜の面の緑化には必ずしも適するものではない。
【０００５】
繊維が集合してなる一般的な保水性植物生育マットを、立体的な構造体やその他のものにおける壁面等の垂直面若しくは比較的急傾斜の面に沿って配設した場合や、保水性植物生育マットの高さを高くしたり保水性植物生育マットを高さ方向に積層した場合、給水された水系液体が、傾斜角度が比較的大きな保水性植物生育マット又は高さの高い保水性植物生育マットにおける下方部、或いは、高さ方向に積層した保水性植物生育マットにおける下方の保水性植物生育マットに集まりがちとなり、上方部に保持される水分量が不十分になるおそれがある。
【０００６】
この点を解決する一つの手段として、特開２００９−１００７１２公報には、複数の保水性植物生育層が、保水性植物生育層同士の間に上下分離層を挟んで上下方向に積層してなり、前記上下分離層の上側の保水性植物生育層は、保水し切れない水系液体を下側面から下方に漏脱させるものであり、前記上下分離層は、上側の保水性植物生育層の下側面から下方に漏脱した水系液体を下方に通過させるものであり、前記上下分離層を下方に通過した水系液体は、その上下分離層の下側の保水性植物生育層に達し得る植物栽培体が開示されている。
【０００７】
この植物栽培体においては、上下分離層の上側の保水性植物生育層と下側の保水性植物生育層が上下分離層により隔てられ、上側の保水性植物生育層は、保水し切れない水系液体を下側面から下方に漏脱させ、上下分離層は、上側の保水性植物生育層の下側面から下方に漏脱した水系液体を下方に通過させ、上下分離層を下方に通過した水系液体は、その上下分離層の下側の保水性植物生育層に達し得る。
【０００８】
そのため、上下分離層の上側の保水性植物生育層と下側の保水性植物生育層が上下に連続している場合のように、上下連続した保水性植物生育層のうち下方側に水系液体が偏って保持されることが防がれ、上側及び下側の保水性植物生育層がそれぞれの保水力を十分発揮し得る。
【０００９】
しかしながら、この植物栽培体は、複数の保水性植物生育層が、保水性植物生育層同士の間に上下分離層を挟んで上下方向に積層するという構造であるため、必ずしも製造（又は施工）を容易に行い得るものではなく、使用可能な場所も比較的限られる。
【先行技術文献】
【特許文献】
【００１０】
【特許文献１】特開平１０−９８９１３号公報
【特許文献２】特開２００９−１００７１２公報
【発明の概要】
【発明が解決しようとする課題】
【００１１】
本発明は、従来技術に存した上記のような課題に鑑み行われたものであり、保水性植物生育体を用いて垂直面又は比較的急傾斜の面において、最小限の量の灌水又は給水により、対象植物を生育することが可能な植物栽培用具及び植物栽培法を提供することにある。
【課題を解決するための手段】
【００１２】
(1) 上記目的を達成するための本発明の植物栽培用具は、
所定の面である植物生育面において対象植物を生育する保水性植物生育体と、その保水性植物生育体を所定姿勢に支持するための支持体を備えてなる植物栽培用具であって、
前記支持体により、前記保水性植物生育体は、その保水性植物生育体の下端から高さの６０％までを少なくとも含む部分が水系液体を保有し得ると共に、前記保水性植物生育体のうち植物の生育が可能な所定の植物生育面の水平方向に対する傾斜角が４５度以上９０度以下となり、その植物生育面の下端から高さの６０％までを少なくとも含む部分が前記保水性植物生育体における水系液体を保有し得る部分により構成される所定姿勢に支持されることを特徴とする。
【００１３】
また、本発明の植物栽培法は、
保水性植物生育体を、その保水性植物生育体の下端から高さの６０％までを少なくとも含む部分が水系液体を保有し得ると共に、前記保水性植物生育体のうち植物の生育が可能な所定の植物生育面の水平方向に対する傾斜角が４５度以上９０度以下となり、その植物生育面の下端から高さの６０％までを少なくとも含む部分が前記保水性植物生育体における水系液体を保有し得る部分により構成される所定姿勢に支持し、
前記植物生育面において対象植物を生育することを特徴とする。
【００１４】
この植物栽培用具又は植物栽培法によれば、保水性植物生育体が、その保水性植物生育体の下端から高さの６０％までを少なくとも含む部分が水系液体を保有し得ると共に、前記保水性植物生育体の所定の面である植物生育面の水平方向に対する傾斜角が４５度以上９０度以下となり、その植物生育面の下端から高さの６０％までを少なくとも含む部分が前記保水性植物生育体における水系液体を保有し得る部分により構成される所定姿勢に支持される。
【００１５】
よって、保水性植物生育体のうち、水平方向に対する傾斜角が４５度以上９０度以下であり、下端から高さの６０％までを少なくとも含む部分が保水性植物生育体における水系液体を保有し得る部分により構成される植物生育面において、最小限の量の灌水又は給水により、対象植物を生育することが可能である。
【００１６】
(2)  本発明の植物栽培用具は、複数の上記保水性植物生育体が、互いに分離して上下方向に並ぶ状態で上記支持体により支持され、それらの上下方向に並ぶ保水性植物生育体の各植物生育面が上下方向に並ぶものとすることができる。
【００１７】
また本発明の植物栽培法は、複数の上記保水性植物生育体を、互いに分離して上下方向に並ぶ状態で支持することにより、それらの上下方向に並ぶ保水性植物生育体の各植物生育面が上下方向に並ぶものとすることができる。
【００１８】
複数の上記保水性植物生育体が、互いに分離して上下方向に並ぶ状態で上記支持体により支持されることにより、各保水性植物生育体の保水能力をそれぞれ十分に発揮させつつ、それらの上下方向に並ぶ保水性植物生育体の各植物生育面が上下方向に並ぶようにすることにより、対象植物の生育領域を上下方向に広めることができる。
【００１９】
(2-1)  上記植物生育面同士の上下間隔は、植物生育面の上下方向寸法の１／２以下であるものとすることができる。
【００２０】
植物生育面同士の上下間隔が、植物生育面の上下方向寸法の１／２以下であるため、上下方向において可及的に途切れなく対象植物を生育させることができる。
【００２１】
(2-2)  また、上側の保水性植物生育体と下側の保水性植物生育体の間が区画部によって区画されているものとすることができる。
【００２２】
この場合、上側の保水性植物生育体と下側の保水性植物生育体の間が区画部によって区画されているので、上下の保水性植物生育体を確実に分離して各保水性植物生育体の保水能力をそれぞれ十分に発揮させることができる。
【００２３】
また、上記区画部は、上側の保水性植物生育体の下部を上向きに支持するものとすることができる。
【００２４】
この場合、区画部が、上側の保水性植物生育体の下部を上向きに支持するものであることにより、保水性植物生育体の支持と上下の保水性植物生育体の分離が共に行われる。
【００２５】
また上記区画部は、上下方向に水系液体が通過し得るものとすることができる。
【００２６】
この場合、  区画部が、上下方向に水系液体が通過し得るものであることにより、上下の保水性植物生育体を確実に分離しつつ、区画部の上側の保水性植物生育体における過剰な水分を区画部を通じて下側の保水性植物生育体に供給することができる。
【００２７】
(2-2-1)
【００２８】
本発明の植物栽培用具は、上記区画部が上下方向に水系液体が通過し得ないものであり、水系液体が区画部の上側から区画部の横方向外方の外方流出部へ流出し、その外方流出部から、外方流出部の横方向外方の前記区画部の下側へ流入する経路を備えるものとすることができる。
【００２９】
この場合、上下方向に水系液体が通過し得ない区画部により上下の保水性植物生育体を確実に分離しつつ、区画部の上側の保水性植物生育体における過剰な水分を、区画部の上側から区画部の横方向外方の外方流出部を経て区画部の下側へ至る経路を通じて下側の保水性植物生育体に供給することができる。
【００３０】
また、上記保水性植物生育体の植物生育面からみてその保水性植物生育体の後方に外方流出部を有し、
外方流出部の下部に、上下方向に水系液体が通過し得ない第２区画部を有し、
第２区画部の上側の外方流出部に、保水体を有するものとすることができる。
【００３１】
この場合、区画部の上側の保水性植物生育体における過剰な水分が、保水性植物生育体の後方の外方流出部へ流出し、その外方流出部の下部に有する上下方向に水系液体が通過し得ない第２区画部の上側、すなわち外方流出部に位置する保水体に吸収され、更に過剰な水分は、第２区画部の上側から前方へ流出して区画部の下側の保水性植物生育体に供給される。
【００３２】
(2-3)  上記植物栽培用具又は植物栽培法は、上下隣り合う植物生育面の前後方向位置が一致するものとすることができる。
【００３３】
上下隣り合う植物生育面の前後方向位置が一致する場合、一定の垂直面に沿った上下の植物生育面において対象植物を生育することができる。
【００３４】
(3)  本発明の植物栽培用具又は植物栽培法は、保水性植物生育体の奥行きが高さ以下であるものとすることができる。
【００３５】
この場合、  保水性植物生育体の奥行きが高さ以下であるため、スペースを有効利用して植物栽培を行うことができる。
【００３６】
(4)  本発明の植物栽培用具における保水性植物生育体は、繊維の不織集合体であるものとすることができる。
【００３７】
(5)  本発明の植物栽培用具は、植物生育面からみて保水性植物生育体の背面が、全体又は部分に通気孔を有する背面材により支持されているものとすることができる。
【００３８】
この場合、植物生育面からみて保水性植物生育体の背面が通気孔を有する背面材により支持されているので、生育対象植物の根の通気性が確保され、植物の生育及び根腐れ防止に好適である。
【発明の効果】
【００３９】
本発明の植物栽培用具又は植物栽培法によれば、保水性植物生育体が、その保水性植物生育体の下端から高さの６０％までを少なくとも含む部分が水系液体を保有し得ると共に、前記保水性植物生育体の所定の面である植物生育面の水平方向に対する傾斜角が４５度以上９０度以下となり、その植物生育面の下端から高さの６０％までを少なくとも含む部分が前記保水性植物生育体における水系液体を保有し得る部分により構成される所定姿勢に支持されるので、植物生育面において、最小限の量の灌水又は給水により、対象植物を生育することが可能である。
【図面の簡単な説明】
【００４０】
【図１】支持体の斜視図である。
【図２】支持体の正面図である。
【図３】支持体の側面図である。
【図４】支持体の拡大縦断面図である。
【図５】植物栽培用具の拡大縦断面図である。
【図６】上下に連結した植物栽培用具の正面図である。
【図７】別の植物栽培用具の拡大縦断面図である。
【発明を実施するための形態】
【００４１】
本発明の植物栽培用具及び植物栽培法の実施の形態を説明する。
【００４２】
(1)  図１乃至図６は、本発明の植物栽培用具及び植物栽培法の実施の形態の一例に関するものである。
【００４３】
(1-1)  本例の植物栽培用具は、主に、保水性植物生育体Ａ、保水体Ｂ、及び支持体Ｃからなる。  支持体Ｃは、前棚部Ｆの後部に後棚部Ｒの前部が結合してなる。
【００４４】
(1-1-1)  前棚部Ｆは、一定の前後方向幅を有する正面方形状の前棚外枠部Ｆ１と、その前棚外枠部Ｆ１の後端部に設けられた背板部Ｆ２と、背板部Ｆ２の上下方向一定間隔おきの５つの上下方向位置において背板部Ｆ２から前方に向かって突設された水平板状の区画部Ｆ３を有する。区画部Ｆ３の前端は、前棚外枠部Ｆ１の前端位置よりもやや後方に位置する（これに限るものではない）。
【００４５】
各区画部Ｆ３は、前棚部Ｆの全横幅にわたり、前棚外枠部Ｆ１の前端部よりもやや後方までの一定の前方突出長（必ずしも一定に限らない）を有する平板状をなし、各区画部Ｆ３の前端部に、全横幅にわたり上方突起部Ｆ４を有する。
【００４６】
また、前棚外枠部Ｆ１の底板部のうち各区画部Ｆ３の前方突出長に対応する部分が他よりも厚肉の受止部Ｆ５に形成され、受止部Ｆ５の前端部に、各区画部Ｆ３と同じく全横幅にわたり上方突起部Ｆ４を有する。
【００４７】
区画部Ｆ３及び受止部Ｆ５は、それぞれ保水性植物生育体Ａの下部を上向きに支持するものであり、各上方突起部Ｆ４は、保水性植物生育体Ａの前方離脱を防止するものである。水系液体は各区画部Ｆ３及び受止部Ｆ５を上下方向に通過し得ない。
【００４８】
各区画部Ｆ３又は受止部Ｆ５と、その上方に隣り合う区画部Ｆ３又は前棚外枠部Ｆ１の天板部の間の背板部Ｆ２には、各区画部Ｆ３又は受止部Ｆ５の上面位置からやや上方に至る下方連通口部Ｆ６を全横幅にわたり（これに限らず、横幅方向に複数個所で分離されたものでもよい。）有すると共に、区画部Ｆ３又は前棚外枠部Ｆ１の天板部のやや下方部に、上方連通口部Ｆ７を全横幅にわたり有する。
【００４９】
前棚外枠部Ｆ１の上端におけるやや後寄りの位置には、全横幅にわたる連結用上方突起板部Ｆ８を有し、その連結用上方突起板部Ｆ８の左右端部には、それぞれ前後方向の貫通孔Ｆ９を有する
【００５０】
(1-1-2)  後棚部Ｒは、一定の前後方向幅を有する正面方形状の後棚外枠部Ｒ１と、その後棚外枠部Ｒ１の後端部に上下方向一定間隔おきに設けられた全横幅にわたる垂直板状の後板部Ｒ２と、各後板部Ｒ２の間の前方に位置する全横幅にわたる垂直板状の前板部Ｒ３と、各後板部Ｒ２の下端部と各前板部Ｒ３の上端部にわたる水平状の後下板部Ｒ４と、各後板部Ｒ２の上端部と各前板部Ｒ３の下端部にわたる水平状の後上板部Ｒ５からなる。前板部Ｒ３並びにその上下に連結した後下板部Ｒ４及び後上板部Ｒ５が第２区画部を構成する。後板部Ｒ２には、横方向間隔おきに、後方に開口する多数の透孔Ｒ６を有する。
【００５１】
各前板部Ｒ３の前後方向位置は、後棚外枠部Ｒ１の前端位置よりもやや後方である。
【００５２】
後棚外枠部Ｒ１の下端における前側に、全横幅にわたる後方開口の連結用下方箱形状突起部Ｒ７を有し、その連結用下方箱形状突起部Ｒ７の左右端部には、それぞれ前後方向の貫通孔Ｒ８を有する。
【００５３】
(1-1-3)  後棚外枠部Ｒ１のうち各前板部Ｒ３の前面よりも前方部が、前棚外枠部Ｆ１の後部に対し外嵌することにより、前棚部Ｆの後部に後棚部Ｒの前部が結合する。その状態において、後下板部Ｒ４の上面と上方連通口部Ｆ７の下縁の上下方向位置が一致し、後上板部Ｒ５の下面は下方連通口部Ｆ６の上縁よりも上方に位置し、前板部Ｒ３の前面は背板部Ｆ２の後面に当接（又は接着若しくはその他の手段により接合）している。
【００５４】
下側に位置する支持体Ｃの連結用上方突起板部Ｆ８の後側に、上側に位置する支持体Ｃの連結用下方箱形状突起部Ｒ７を重合させ、左右の各貫通孔Ｆ９を利用してボルトとナット等の締結具を用いて前後方向に締結することにより、上下の支持体Ｃを連結することができる。
【００５５】
支持体Ｃの素材としては、金属、合成樹脂、セラミクス、木材等を適宜使用することができる。
【００５６】
(1-1-4)  保水性植物生育体Ａ及び保水体Ｂは、何れも、不規則に集合した繊維を圧縮成形してなる。
【００５７】
各保水性植物生育体Ａは、直方体状をなし、その高さ、奥行き及び横幅は、ほぼ次の通りである。すなわち、高さは、支持体Ｃの前棚部Ｆにおける各区画部Ｆ３又は受止部Ｆ５からその上方に隣り合う区画部Ｆ３又は前棚外枠部Ｆ１の天板部までの高さ（その高さより低くてもよい）であり、奥行きは、各区画部Ｆ３又は受止部Ｆ５の上方突起部Ｆ４と背板部Ｆ２の間の長さであり、横幅は、各区画部Ｆ３及び受止部Ｆ５の全横幅にわたる（必ずしも全横幅に限らない）横幅である。各保水性植物生育体Ａの奥行きは、その高さの１／２以下である。
【００５８】
各保水性植物生育体Ａは、その底面において各区画部Ｆ３及び受止部Ｆ５上に上向きに受止され、後面において各背板部Ｆ２によって支持され、前面下端部において各区画部Ｆ３又は受止部Ｆ５の上方突起部Ｆ４により前方離脱を防止された状態で、支持体Ｃにおける前棚部Ｆに支持されている。この例においては、このように支持された各保水性植物生育体Ａにおいて正面を向く前面のうち上方突起部Ｆ４により覆われていない部分が、各保水性植物生育体Ａの植物生育面Ａ１（植物の生育が可能な所定の面）である。
【００５９】
支持体Ｃの前棚部Ｆにおいてこのような姿勢に支持された各保水性植物生育体Ａは、その下端から高さの９０乃至１００％が水系液体を保有し得るよう構成されていると共に、それらの保水性植物生育体Ａの植物生育面Ａ１の水平方向に対する傾斜角が９０度となり、その植物生育面Ａ１の下端から高さの９０乃至１００％が、その保水性植物生育体Ａにおける水系液体を保有し得る部分により構成されている。
【００６０】
支持体Ｃの前棚部Ｆにおける上下の各区画部Ｆ３及び受止部Ｆ５上に支持された各保水性植物生育体Ａの植物生育面Ａ１は、前後方向位置が一致する状態で、各区画部Ｆ３の上方突起部Ｆ４を挟んで上下に連続する。植物生育面Ａ１同士の上下間隔（この場合は上方突起部Ｆ４の高さ）は、植物生育面Ａ１の上下方向寸法の１／５以下である。
【００６１】
各区画部Ｆ３及び受止部Ｆ５上に各保水性植物生育体Ａが支持された状態において、前棚外枠部Ｆ１の前面部は、対象植物の生育を妨げない網状部又は格子状部Ｆ１０（格子状部というのは、例えば円孔、楕円孔、多角形孔等を多数満遍なく有するものや、長孔やスリット状部を並列状に有するもの等である。）等を全体又は植物生育面Ａ１に対応する部分に有する材料により覆って各保水性植物生育体Ａの前方脱落を防ぐことが好ましい。
【００６２】
各保水体Ｂは、直方体状をなし、その高さ、奥行き及び横幅は、ほぼ次の通りである。すなわち、高さは、支持体Ｃの後棚部Ｒにおける各後下板部Ｒ４からその上方に隣り合う後上板部Ｒ５までの高さであり、奥行きは、各後下板部Ｒ４及び後上板部Ｒ５の奥行き（後板部Ｒ２の前面と前板部Ｒ３の前面の間の距離）であり、横幅は、各後下板部Ｒ４及び後上板部Ｒ５の全横幅にわたる横幅である。
【００６３】
各保水体Ｂは、その底面において各後下板部Ｒ４上に上向きに受止され、後面において各後板部Ｒ２によって支持され、前面において前棚部Ｆの各背板部Ｆ２により支持された状態で、支持体Ｃにおける後棚部Ｒの後下板部Ｒ４と後上板部Ｒ５と後板部Ｒ２と背板部Ｆ２により囲まれた部分、すなわち外方流出部Ｒ９に保持されている。
【００６４】
支持体Ｃの後棚部Ｒにおいてこのような姿勢に支持された各保水体Ｂは、その下端から高さの９０乃至１００％が水系液体を保有し得るよう構成されている。
【００６５】
(1-2)  このように支持体Ｃにより保水性植物生育体Ａ及び保水体Ｂが支持されてなる植物栽培用具に対し、例えば、後棚部Ｒの最上部の後下板部Ｒ４に形成された導入孔を通じ、その後下板部Ｒ４の下側から上側へ水を供給することにより、最上部の上方連通口部Ｆ７を通じて最上部の保水性植物生育体Ａに給水される。なお、好適な例として、後棚部Ｒの最上部の後下板部Ｒ４上に、管壁に多数の灌水用細孔を有する給水管を、全横方向幅にわたり満遍なく灌水用細孔が位置するように配装し、その給水管を通じて給水を行うことができる。
【００６６】
最上部の保水性植物生育体Ａに供給された過剰な水分は、その保水性植物生育体Ａを支持する区画部Ｆ３の後方の下方連通口部Ｆ６を通じて、その後方の外方流出部Ｒ９へ流出し、その外方流出部Ｒ９に保持された保水体Ｂに供給される。その保水体Ｂに供給された過剰な水分は、その保水体Ｂを支持する後上板部Ｒ５の前方の上方連通口部Ｆ７を通じて、その前方の前棚部Ｆへ流出し、上から２番目の区画部Ｆ３に支持された保水性植物生育体Ａに供給される。
【００６７】
このようにして、順に上方から下方へ、保水性植物生育体Ａから保水体Ｂ、保水体Ｂから保水性植物生育体Ａへと給水されることとなる。
【００６８】
各保水性植物生育体Ａは、その下端から高さの９０乃至１００％が水系液体を保有し得ると共に、それらの保水性植物生育体Ａの植物生育面Ａ１の水平方向に対する傾斜角が９０度となり、その植物生育面Ａ１の下端から高さの９０乃至１００％が、その保水性植物生育体Ａにおける水系液体を保有し得る部分により構成されるので、各植物生育面Ａ１において、最小限の量の灌水又は給水により、芝類等の対象植物を生育することができる。
【００６９】
而も、各保水性植物生育体Ａの植物生育面Ａ１は、前後方向位置が一致する状態で、各区画部Ｆ３の上方突起部Ｆ４を挟んで上下に連続し、植物生育面Ａ１同士の上下間隔は植物生育面Ａ１の上下方向寸法の１／５以下であるため、上下方向において可及的に途切れなく対象植物を生育させることができる。
【００７０】
また、保水性植物生育体Ａの奥行きが高さの１／２以下であるため、スペースを有効利用して植物栽培を行うことができる。
【００７１】
更に、各保水性植物生育体Ａにおいて生育された対象植物の根が上方連通口部Ｆ７又は下方連通口部Ｆ６を通じて各保水体Ｂ内に伸びることにより、各保水体Ｂに保持された水分を生育に利用することができるので、植物栽培用具全体としての過剰水分の排出及び必要水分の保持を効果的に行いつつ対象植物を生育することができる。
【００７２】
(1-3)  なお、保水体Ｂを用いず、外方流出部Ｒ９が空洞のままであるものとすることもできる。その場合、背板部Ｆ２或いは背板部Ｆ２及び前板部Ｒ３に通気孔を有するもの（例えば格子状部又は網状部を有するもの）を用いることが好ましい。生育対象植物の根の通気性をより良好にするためである。
【００７３】
(1-4)  別の例として、図７に示すように、支持体Ｄを上記例の前棚部に対応する部分のみとしたものを挙げることができる。
【００７４】
支持体Ｄは、一定の前後方向幅を有する正面方形状の外枠部Ｄ１と、その外枠部Ｄ１の後端部に設けられた背板部Ｄ２と、背板部Ｄ２の上下方向一定間隔おきの５つの上下方向位置において背板部Ｄ２から前方に向かって突設された水平板状の区画部Ｄ３を有する。区画部Ｄ３は上下方向に水系液体が通過可能であり、区画部Ｄ３の前端は、外枠部Ｄ１の前端位置よりもやや後方に位置する。
【００７５】
各区画部Ｄ３は、支持体Ｄの全横幅にわたり、外枠部Ｄ１の前端部よりもやや後方までの一定の前方突出長を有する平板状をなし、各区画部Ｄ３の前端部に、全横幅にわたり上方突起部Ｄ４を有する。
【００７６】
また、外枠部Ｄ１の底板部のうち各区画部Ｄ３の前方突出長に対応する部分が他よりも厚肉の受止部Ｄ５に形成され、受止部Ｄ５の前端部に、各区画部Ｄ３と同じく全横幅にわたり上方突起部Ｄ４を有する。
【００７７】
各区画部Ｄ３は、水系液体が上下方向に通過し得るものとすることにより、上方の区画部Ｄ３に支持されて給水された保水性植物生育体Ａの過剰な水分は、その区画部Ｄ３を通じて下方の保水性植物生育体Ａに供給される。
【００７８】
背板部Ｄ２のうち、少なくとも保水性植物生育体Ａの後面を支持する部分の全体又は部分は、格子状部又は網状部を有するものを用いることが好ましい。保水性植物生育体Ａの前面である植物生育面Ａ１において生育する対象植物の保水性植物生育体Ａ内の根の通気性を良くするためである。
【００７９】
(2)  本発明における保水性植物生育体としては、その下端からある限界高さまで、毛細管現象等により、水系液体を保有し得るものを用いることができる。この本発明における保水性植物生育体は、水系液体を保有した場合に下方側の水系液体保有量が上方側に比し多くなるものであってよい。
【００８０】
本発明において、水系液体とは、水道水、雨水、液肥等を含有する水等の、対象植物の生育に利用され得る、水を主成分とする液体である。
【００８１】
保水性植物生育層の対象植物の例としては、芝類、セダム類、こけ類、つた類等を挙げることができる。
【００８２】
本発明において、保水性植物生育体としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、その他の各種植物生育材料を用いることができる。
【００８３】
本発明における保水性植物生育体は、ばらばらの繊維や粒子等の状態ではなく、一体性又は定形性を有するものとすることができ、平板状又は湾曲板状の他、直方体又はその他の多面体状とすることができる。
【００８４】
保水体は、保水性植物生育体と同様の材料を用いて同様に形成したものとすることができ、保水体と保水性植物生育体は同一材料から同様に形成したものであってもよい。
【００８５】
(3)  本発明においては、保水性植物生育体は、支持体により、所定姿勢に支持される。所定姿勢とは、その保水性植物生育体の下端から高さの６０％までを少なくとも含む部分が水系液体を保有し得ると共に、前記保水性植物生育体のうち植物の生育が可能な所定の植物生育面の水平方向に対する傾斜角が４５度以上９０度以下となり、その植物生育面の下端から高さの６０％までを少なくとも含む部分が前記保水性植物生育体における水系液体を保有し得る部分により構成される姿勢である。
【００８６】
(3-1)  保水性植物生育体が水系液体を保有し得る部分は、下端からの高さの６０％までを少なくとも含む部分であり、好ましくは、下端から高さの７０％、８０％、９０％までを少なくとも含む部分、より好ましくは保水性植物生育体全体である。
【００８７】
支持体により支持した状態の保水性植物生育体の高さは、用いる繊維材料や繊維材料同士の密度等による。例えば１乃至２０ｃｍとすることができ、好ましくは３乃至１５ｃｍ、より好ましくは４乃至１０ｃｍとすることができるが、これに限られるものではない。
【００８８】
(3-2)  保水性植物生育体の所定の面である植物生育面の水平方向に対する傾斜角は、４５度以上（或いは、例えば５０度、６０度、７０度、又は８０度以上）９０度以下、好ましくは７０乃至９０度、より好ましくは８０乃至９０度、更に好ましくは９０度である。保水性植物生育体における植物生育面の水平方向に対する傾斜角は、一定角度の他、例えば湾曲状又はその他の態様で変化するものとすることもできる。
【００８９】
(3-3)  植物生育面は、その下端から高さの６０％までを少なくとも含む部分（例えば、植物生育面の下端からの高さの６０％以上、或いは、７０％、８０％、又は９０％以上を少なくとも含む部分又は全部）が保水性植物生育体における水系液体を保有し得る部分により構成される。
【００９０】
(3-4)  植物生育面の外周形状は、例えば、長方形（例えば図６の例）、正方形、その他の多角形、円、楕円、その他の閉曲線とすることができる。
【００９１】
(3-5)  １つの保水性植物生育体が複数の面（例えば反対側の面、隣接面等）を植物生育面として有するものであってもよい。
【００９２】
(3-6)  保水性植物生育体が支持体により所定姿勢に支持された状態において、その保水性植物生育体の植物生育面は、平面であるものとすることができるほか、垂直方向（若しくは傾斜方向）及び水平方向の両方又は一方において湾曲しているものとすることもできる。例えば直立円筒状の外周面又は内周面或いは円錐状の外周面に沿うものとすることができる。
【００９３】
(3-7)  支持体により所定姿勢に支持された状態の保水性植物生育体の奥行きは、高さ以下とすることが望ましい。この場合、スペースを有効に利用して保水性植物生育体の植物生育面において植物栽培を行うことができる。保水性植物生育体の奥行きは、好ましくは、高さの３／４又は２／３以下、より好ましくは１／２又は１／３以下である。
【００９４】
(3-8)  植物生育面からみて保水性植物生育体の後面が通気用の透孔群を有する背板部により支持されているものとする場合、このような背板部としては、少なくとも保水性植物生育体の後面を支持する部分の全体又は一部に、通気孔を有するもの（例えば格子状部又は網状部を有するもの）を用いることができる。
【００９５】
(3-9)  保水性植物生育体の下部を上向きに支持すると共に、その保水性植物生育体の相対する両面のそれぞれにおける全体又は一部を、対象植物の生育を妨げない網状部又は格子状部により覆うことにより、それらの相対する両面又はその一方を植物生育面とすることができる。保水性植物生育体の相対しない２以上の面のそれぞれにおける全体又は一部を、対象植物の生育を妨げない網状部又は格子状部により覆うことにより、それら全ての面又は一部の面を植物生育面とすることができる。
【００９６】
その一例は、前記のように図７に示される。
【００９７】
(3-10)  保水性植物生育体を所定姿勢に支持するための支持体の例としては、上下方向にわたる基体（柱状体、壁状体、アーチ、シェル等）に保水性植物生育体を上向きに支持する支持部（上記例における区画部及び受止部等）を備えたものや保水性植物生育体を直接支持するもの（例えば保水性植物生育体を基体に対する接着、縫着・綴着・釘、ビス、ボルト等により固定するもの等）を挙げることができる。
【００９８】
(4)  本発明においては、複数の保水性植物生育体が、互いに分離して上下方向に並ぶ状態で支持体により支持され、それらの上下方向に並ぶ保水性植物生育体の各植物生育面が上下方向に並ぶものとすることができる。
【００９９】
(4-1)  上下隣り合う植物生育面の前後方向位置は、一致するものとすることができる。その場合に各植物生育面の水平方向に対する傾斜角が９０度であれば、各植物生育面が一定の垂直面に沿うものとなる。
【０１００】
また、上側の植物生育面に対して下側の植物生育面が前方に位置するものとすることもできる。その場合、上側の保水性植物生育体の下端よりも下側の保水性植物生育体の上端が上方に位置するものとして上側の植物生育面と下側の植物生育面の上下間隔を０又は植物生育面の高さの１／１０以下とすることができる。
【０１０１】
(4-2)  植物生育面同士の上下間隔は、植物生育面の上下方向寸法の２倍若しくは３／２以下、或いは、１倍若しくは２／３以下、好ましくは１／２若しくは１／３以下、より好ましくは１／４若しくは１／５以下、更に好ましくは１／１０以下若しくは０である。
【０１０２】
(4-3)  上側の保水性植物生育体と下側の保水性植物生育体の間は、上下方向に水系液体が通過し得ない区画部又は上下方向に水系液体が通過し得る区画部によって区画されているものとすることができる。
【０１０３】
(4-3-1)  このような区画部は、上側の保水性植物生育体の下部を上向きに支持するものとすることができ、その場合、区画部の前部に、保水性植物生育体の前方下部が前方に離脱することを防ぐための上方突起を有するものとすることができる。なお、上方突起が、対象植物の生育を妨げない網状部又は格子状部等の材料からなるものとすることにより、上方突起により覆われた部分も含めて植物生育面とすることができる。
【０１０４】
(4-3-2)  水系液体が通過し得る区画部としては、例えば、多数の透孔部を好ましくは満遍なく有する板状構造体、スノコ状構造体、網状構造体（パンチングメタルようなものも含む）、格子状（縦横格子状又は並列格子状）構造体、植物生育面に向かって保水性植物生育体の後方から突設された片持梁状のものを並列した構造体、複数並列した水平方向の梁状体又は可撓性線条体により形成する区画部、空間により形成する区画部、又はこれらの組み合わせ等を挙げることができる。スノコ状構造体、網状構造体、格子状構造体、片持梁状のものを並列した構造体等の構造体からなる区画部を構成する材料としては、ステンレス鋼やアルミニウム等の金属、各種合成樹脂、セラミクス等を挙げることができる。
【０１０５】
(4-3-3)  保水性植物生育体の上端は、上方の区画部の下部より低くてもよい。
【０１０６】
(4-3-4)  上下方向に並んだ植物生育面の形状、大きさ、水平方向両端位置等は、それぞれ一定とすることができるほか、変化するものとすることもできる。例えば、上下方向に並んだ植物生育面の一端が上下方向に一定傾斜又は傾斜が１以上の箇所で変化する直線又は所定の曲線に沿い、他端は前記一端の直線又は曲線を平行移動した直線又は曲線或いはその他の直線又は曲線に沿うものとすることができる。
【０１０７】
従って、上下方向に並んだ全ての植物生育面の外周縁を包絡する線は、長方形（例えば図６の例）、正方形、その他の多角形、円、楕円、その他の閉曲線等を描くものとすることができる。
【０１０８】
(4-4)  区画部が上下方向に水系液体が通過し得ない（或いは、通過流量に限度がある）ものであり、水系液体が区画部の上側から区画部の横方向外方の外方流出部へ流出し、その外方流出部から、外方流出部の横方向外方の前記区画部の下側へ流入する経路を備えるものとすることができる。
【０１０９】
その場合に、保水性植物生育体の植物生育面からみてその保水性植物生育体の後方に外方流出部を有し、外方流出部の下部に、上下方向に水系液体が通過し得ない第２区画部（例えば、図４及び図５における前板部Ｒ３並びにその上下に連結した後下板部Ｒ４及び後上板部Ｒ５により構成される部分）を有するものとすることができる。第２区画部の上側の外方流出部は、空間であってもよく、保水体を有するものとすることもできる。
【０１１０】
保水体は、保水性植物生育体の後方において水系液体を保有するため、又は、保水性植物生育体の後方に対象植物の根が伸びてその根が水系液体を吸収できるようにするために、外方流出物に配装することができる。
【０１１１】
上記区画部と第２区画部は、上下互い違いの位置に設けることができる。
【０１１２】
また、上記保水性植物生育体の植物生育面からみて上記保水体における後方側に植物生育面を有するものとすることができる。この場合、保水性植物生育体の植物生育面からみて保水体における後方側、すなわち逆向きに植物生育面を有するので、互いに逆向きの両植物生育面に対象植物を生育することができる。なお、保水体の後方側（植物生育面）の全体又は一部は、対象植物の生育を妨げない網状部又は格子状部により覆うことが望ましい。
【符号の説明】
【０１１３】
Ａ        保水性植物生育体
Ａ１      植物生育面
Ｂ        保水体
Ｃ        支持体
Ｄ        支持体
Ｄ１      外枠部
Ｄ２      背板部
Ｄ３      区画部
Ｄ４      上方突起部
Ｄ５      受止部
Ｆ        前棚部
Ｆ１      前棚外枠部
Ｆ２      背板部
Ｆ３      区画部
Ｆ４      上方突起部
Ｆ５      受止部
Ｆ６      下方連通口部
Ｆ７      上方連通口部
Ｆ８      連結用上方突起板部
Ｆ９      貫通孔
Ｆ１０    格子状部
Ｒ        後棚部
Ｒ１      後棚外枠部
Ｒ２      後板部
Ｒ３      前板部
Ｒ４      後下板部
Ｒ５      後上板部
Ｒ６      透孔
Ｒ７      連結用下方箱形状突起部
Ｒ８      貫通孔
Ｒ９      外方流出部
【図１】
2011244709.tif 000003
【図２】
2011244709.tif 000004
【図３】
2011244709.tif 000005
【図４】
2011244709.tif 000006
【図５】
2011244709.tif 000007
【図６】
2011244709.tif 000008
【図７】
2011244709.tif 000009